(57)【要約】【課題】装置全体の上下方向の大型化を抑え且つ強度を確保し得る構成で持ち手部を設け得る酸素濃縮器を提供する。【解決手段】酸素濃縮器１において、筐体５０には、貫通孔部９４が形成され、この貫通孔部９４に隣接して持ち手部８２が設けられている。貫通孔部９４は、第１開口部９１（上面部５６の端部と、両方の延出部６４，７４と、持ち手部８２とを少なくとも含んだ形態で形成された開口部）と第２開口部９２（持ち手部８２の端部と背面本体部８４の端部とを少なくとも含んだ形態で形成されるとともに第１開口部９１よりも軸線方向他端側に配置される開口部）との間で内部空間が連続する孔部として構成され、第１開口部９１から軸線方向他端側に延びる孔部である。【選択図】図１
2019198405.tif 000002
【特許請求の範囲】
【請求項１】
複数の部品を収容するとともに軸線方向に延びる筐体を有する酸素濃縮器であって、
前記筐体は、
前記軸線方向に沿って延びる前面部と、前記前面部と対向して配置される背面部と、前記前面部と前記背面部との間に設けられ互いに対向して配置される一対の側面部と、を備える外周面部と、
前記軸線方向の一端側に面する上面部と、
前記軸線方向の他端側に面する底面部と、
を備え、
前記上面部は、前記前面部側から前記背面部側へ向かうにつれて前記軸線方向の一端側に向けて傾斜して配置され、自身の前記背面部側の端部が前記背面部よりも前記前面部側に配置され、
一対の前記側面部の前記一端側端部は、前記上面部に沿って前記前面部側から前記背面部側へ向かうにつれて傾斜して形成される部分と、前記上面部よりも前記背面部側に延びる延出部と、を有しており、
前記背面部は、
一対の前記側面部の両方の前記延出部に架け渡された形態で連結される持ち手部と、
前記軸線方向において、前記持ち手部と間隙を介して対向する背面本体部と、
を有し、
前記上面部の前記背面部側端部と、両方の前記延出部と、前記持ち手部とを少なくとも含んだ形態で形成された第１開口部と、前記持ち手部の前記他端側端部と前記背面本体部の前記一端側端部とを少なくとも含んだ形態で形成されるとともに前記第１開口部より前記他端側に配置される第２開口部との間で内部空間が連続する孔部として構成され、前記第１開口部から前記他端側に延びる貫通孔部が形成されている
酸素濃縮器。
【請求項２】
前記持ち手部は、前記軸線方向の最大幅のほうが前記前面部から前記背面部へ向かう方向の最大幅よりも大きい
請求項１に記載の酸素濃縮器。
【請求項３】
前記上面部に表示部が設けられている
請求項１又は請求項２に記載の酸素濃縮器。
【発明の詳細な説明】
【技術分野】
【０００１】
本発明は、酸素濃縮器に関するものである。
【背景技術】
【０００２】
近年、呼吸器系疾患の最も効果的な治療法の一つとして、酸素吸入療法が知られている。この酸素吸入療法とは、酸素ガス或いは酸素濃縮ガスを患者に供給する方法であり、その供給源として、最近では、空気中から酸素濃縮ガスを直接分離できる酸素濃縮器などが開発されている。
【０００３】
この種の酸素濃縮器は、患者が様々な場所で利用しやすいように、携帯可能なタイプのものも提供されており、例えば、特許文献１には、再充電可能なバッテリによって電気部品を動作し得るようにした携帯式の酸素濃縮器が開示されている。
【先行技術文献】
【特許文献】
【０００４】
【特許文献２】特開２００７−１６７６５３号公報
【発明の概要】
【発明が解決しようとする課題】
【０００５】
ところで、携帯可能なタイプの酸素濃縮器は、移動や操作などの場面で利用者が把持することが多いため、持ちやすい位置に把持部（持ち手）が設けられていることが望まれる。この点に関して、例えば、特許文献１で開示される酸素濃縮器では、ケースの上端部において左右に架設された形で搬送用ハンドルが設けられている。
【０００６】
しかし、特許文献１の酸素濃縮器は、筐体の前面部に設けられた表示パネル（ユーザ・インタフェース・パネル）の上方側において水平方向にくりぬかれた形で開口部が形成され、その開口部の上方側で架け渡されるように把持部（搬送用ハンドル）が設けられた構造であるため、高さ方向のサイズを大きく確保しなければならない。つまり、水平方向にくりぬく形で開口部を設けると、その開口部の上下幅の分だけ高さ方向に嵩張ることになり、更に、その開口部の上方に把持部（搬送用ハンドル）を設ける構成であるため、開口部の上下幅に把持部の上下幅がそのまま追加された形で高さ方向の嵩張りを増加させてしまうことになる。しかも、特許文献１のような構成であると、把持部（搬送用ハンドル）の強度を確保するために、高さ方向及び奥行き方向のサイズをある程度大きくしなければならず、より一層嵩張ってしまうことになる。
【０００７】
本発明は、上述した課題の少なくとも一つを解決するためになされたものであり、装置全体の上下方向の大型化を抑え且つ強度を確保し得る構成で持ち手部を設け得る酸素濃縮器を提供することを目的とするものである。
【課題を解決するための手段】
【０００８】
本発明の一つである酸素濃縮器は、
複数の部品を収容するとともに軸線方向に延びる筐体を有する酸素濃縮器であって、
前記筐体は、
前記軸線方向に沿って延びる前面部と、前記前面部と対向して配置される背面部と、前記前面部と前記背面部との間に設けられ互いに対向して配置される一対の側面部と、を備える外周面部と、
前記軸線方向の一端側に面する上面部と、
前記軸線方向の他端側に面する底面部と、
を備え、
前記上面部は、前記前面部側から前記背面部側へ向かうにつれて前記軸線方向の一端側に向けて傾斜して配置され、自身の前記背面部側の端部が前記背面部よりも前記前面部側に配置され、
一対の前記側面部の前記一端側端部は、前記上面部に沿って前記前面部側から前記背面部側へ向かうにつれて傾斜して形成される部分と、前記上面部よりも前記背面部側に延びる延出部と、を有しており、
前記背面部は、
一対の前記側面部の両方の前記延出部に架け渡された形態で連結される持ち手部と、
前記軸線方向において、前記持ち手部と間隙を介して対向する背面本体部と、
を有し、
前記上面部の前記背面部側端部と、両方の前記延出部と、前記持ち手部とを少なくとも含んだ形態で形成された第１開口部と、前記持ち手部の前記他端側端部と前記背面本体部の前記一端側端部とを少なくとも含んだ形態で形成されるとともに前記第１開口部よりも前記他端側に配置される第２開口部との間で内部空間が連続する孔部として構成され、前記第１開口部から前記他端側に延びる貫通孔部が形成されている。
【０００９】
このように、上記酸素濃縮器では、上面部の背面部側の端部よりも背面部側のスペースを利用する形で背面部側に延びるように一対の側面部の各一部（一対の延出部）を配置し、これら一対の延出部に対し、背面部の一部（持ち手部）を連結した構成をなしている。このような構成であれば、背面部の一部を把持させるような持ち手構造が可能となり、しかも、持ち手部と持ち手部の両側に連結される一対の延出部とが軸線方向に嵩張りにくい構成となるため、装置全体の軸線方向の大型化を抑えることができる。つまり、軸線方向の一端側を上側とし、他端側を下側とするような使用態様において装置全体の上下方向の大型化を抑え得る構成となる。
しかも、持ち手部に隣接する貫通孔部は、第１開口部（上面部の背面部側端部と、両方の延出部と、持ち手部とを少なくとも含んだ形態で形成された開口部）から下方側に延びるように形成され、第１開口部と第２開口部（持ち手部の他端側端部と背面本体部の一端側端部とを少なくとも含んだ形態で形成されるとともに第１開口部よりも軸線方向他端側に配置される開口部）との間で内部空間が連続するように形成されている。このようにすれば、貫通孔部の内部空間を、持ち手を持つために手を挿入するための空間として利用可能となる。しかも、貫通孔部が第１開口部から軸線方向他端側に延びるようになっており、この貫通孔部に持ち手部が隣接する形態となるため、貫通孔部を深く構成して持ち手部の軸線方向の厚さを大きくしても、装置全体の軸線方向の嵩張り、即ち、装置全体の上下方向の嵩張りが増大しにくくなる。ゆえに、装置全体の上下方向の嵩張りを抑えた形で持ち手部の強度を確保しやすくなる。
【００１０】
上記酸素濃縮器において、持ち手部は、軸線方向の最大幅のほうが前面部から背面部へ向かう方向の最大幅よりも大きくてもよい。
このようにすれば、持ち手部の軸線方向の幅をより確保することができるため、使用者が持ち手部を持ちつつ酸素濃縮器を持ち上げたときに持ち手部の軸線方向一方側への撓みが抑制されやすくなり、持ち手部の強度がより一層確保される。しかも、このように持ち手部の軸線方向の最大幅を相対的に大きくしても、装置全体の軸線方向の嵩張り（即ち、装置全体の上下方向の嵩張り）は増大しにくい。
【００１１】
上記酸素濃縮器において、上面部に表示部が設けられていてもよい。このようにすれば、上方側から表示部を視認しやすい酸素濃縮器を実現できる。しかも、傾斜する上面部から露出するように表示部を設けることができるため、大きな部品を配置しにくい傾斜部（上面部）近傍の下方側スペースを、表示部に関連する部品（表示パネル、基板、配線など）の配置スペースとして効率的に有効利用することができる。
【発明の効果】
【００１２】
本発明の一つである上述の酸素濃縮器によれば、装置全体の上下方向の大型化を抑え且つ強度を確保し得る構成で持ち手部を設け得る。
【図面の簡単な説明】
【００１３】
【図１】第１実施形態の酸素濃縮器を例示する正面図である。
【図２】図１の酸素濃縮器の内部構成を概念的に示す内部回路図である。
【図３】図１の酸素濃縮器の平面図である。
【図４】図１の酸素濃縮器の右側面図である。
【図５】図１の酸素濃縮器の左側面図である。
【図６】図１の酸素濃縮器の背面図である。
【図７】図１の酸素濃縮器の底面図である。
【図８】図１の酸素濃縮器の一部を断面で表した側面一部断面図である。
【図９】図１の酸素濃縮器と比較例１、２を対比して説明する説明図であり、（Ａ）は、図１の酸素濃縮器の断面構造を簡略的に示す説明図であり、（Ｂ）は、比較例１の断面構造を簡略的に示す説明図であり、（Ｃ）は、比較例２の断面構造を簡略的に示す説明図である。
【発明を実施するための形態】
【００１４】
＜第１実施形態＞
１．酸素濃縮装置の概要
まず、酸素濃縮器１の概要を説明する。
図１で示す酸素濃縮器１は、主に呼吸器疾患等の患者に酸素を供給するものであり、カニューラ取付口４４（酸素濃縮ガス取出口）に公知のカニューラを接続して使用するものである。
【００１５】
図２のように、酸素濃縮器１は、例えば、携帯型酸素濃縮器として機能し、原料空気に含まれる窒素を選択的に吸着しうる吸着剤を収容した吸着筒１２と、吸着筒１２で生成された酸素濃縮ガスを一時的に貯留するための貯留タンク１４と、原料空気を移送するためのガス移送装置１８を収容したガス移送装置収容ボックスと、吸着筒１２に接続されたガス流路の開閉を行うための電磁弁１６と、ガス移送装置１８及び電磁弁１６を制御するための制御装置（図示省略）とを含む複数の部品で構成されている。これらの複数の部品は筐体５０の内部に収容され、筐体５０内に収容されつつ固定された支持体（フレーム等）によって支持されている。
【００１６】
酸素濃縮器１は、周囲の空気（原料空気）に含まれる窒素を選択的に吸着する吸着剤を収容した吸着筒１２の圧力を変動させることによって酸素濃縮ガスを生成する圧力変動吸着方式のものとなっている。この酸素濃縮器１では、吸排気口６２，７２（図４、図５）から図示しないフィルタを介して取り込まれた原料空気が吸着筒１２へと圧送されるようになっている。原料空気が吸着筒１２の一次側（気体流入側）へ圧送されて吸着筒１２の内部圧力が上昇すると、原料空気中の窒素が吸着剤に吸着され、酸素濃度の高まった酸素濃縮ガスが吸着筒１２のニ次側（排出側）から取り出される（吸着工程）。このように取り出された酸素濃縮ガスは、貯留タンク１４に一時的に貯留された後、必要に応じてカニューラ取付口４４（酸素濃縮ガス取出口）から取り出される。
【００１７】
上述の吸着工程を終えた吸着筒１２に残っていたガスは、排気ガスとして排気ガス排出口４６（サイレンサ）から排出される。この際、吸着筒１２の圧力は低下し、吸着剤に吸
着されていた窒素が吸着剤から脱離して、吸着剤の窒素吸着能が再生される（再生工
程）。吸着剤から脱離した窒素は、排気ガスとして排出される。このため、排気ガス排出口４６から排出される排出ガスは、窒素濃度が高まった窒素富化ガスとなっている。
【００１８】
なお、符号２０，２２は、逆止弁であり、符号２４，２８は、オリフィスであり、符号２６は、均圧弁である。また、符号３０は、流量制御手段であり、符号３２は、酸素濃度検知手段であり、符号３４は、圧力検知手段である。また、符号３６は、流量検知手段であり、符号４０は、逆止弁である。符号４２は、加湿手段である。符号４８は、消音タンクである。これらの部品や、その他の酸素濃縮器１を構成する各部品の具体的な機能・動作については、一般的な圧力変動吸着式の酸素濃縮装置と略同様であるために説明を割愛する。
【００１９】
２．筐体に関連する構成
次に、筐体３０に関連する構成を説明する。
酸素濃縮器１は、上述した複数の部品（図２参照）を収容する筐体５０を備え、この筐体５０の表面から露出する形で表示部５が設けられている。
【００２０】
図３のように、筐体５０は、所定の前後方向において互いに対向して配置される前面部５２及び背面部８０と、前後方向と直交する所定の左右方向において互いに対向して配置される一対の側面部６０，７０とを備え、これら前面部５２、背面部８０、一対の側面部６０，７０によって外周面部５１が構成されている。なお、本構成では、前面部５２と背面部８０とが対向する方向を前後方向とし、一対の側面部６０，７０が対向する方向を左右方向とする。そして、前後方向及び左右方向と直交する方向を上下方向とする。具体的には、酸素濃縮器１を仮想的な平面（例えば図８で示す平面Ｚ参照）に載置したときにこの平面と直交する方向が上下方向であり、図３のように酸素濃縮器１を平面視したとき（図８のように平面Ｚに載置された酸素濃縮器１を平面Ｚとは反対側から上下方向に見たとき）の筐体５０の長手方向が左右方向となっており且つ短手方向が前後方向となっている。本明細書では、上下方向が「軸線方向」の一例に相当し、上下方向において上側（上面部５６側）が軸線方向一端側であり、下側（底面部５４側）が軸線方向他端側である。前面部５２は、上下方向（軸線方向）に沿って延びる形態をなし、背面部８０は、前面部５２と対向して配置されている。そして、一対の側面部６０，７０は、前面部５２と背面部８０との間において互いに対向して配置されている。
【００２１】
図４のように、上記外周面部５１の下端側には、外周面部５１の下端部の開口を閉塞する構成で下端側（軸線方向他端側）に面する底面部５４が取り付けられている（図７も参照）。更に、外周面部５１の上端側には、外周面部５１の上端部の開口を部分的に閉塞する構成で上面部５６が取り付けられている（図３も参照）。筐体５０は、これら外周面部５１、底面部５４、上面部５６によって内部空間が囲まれた箱状の形態をなしている。
【００２２】
図４、図５のように、上面部５６は、左右方向と平行な平面であって且つ後方側となるにつれて高位置となる平面である所定の仮想平面Ｆの方向に沿って傾斜（前面部５２側から背面部８０側に向かうにつれて軸線方向の一端側に向けて傾斜）して配置され、上端側（軸線方向一端側）に面している。そして、図３のように、上面部５６の後端部５６Ａは、背面部８０よりも前位置に配置されている。図４、図５の例では、上面部５６の表面が仮想平面Ｆと略平行に配置されており、表示部５の表面も仮想平面Ｆと略平行に配置されている。仮想平面Ｆは、例えば、前後方向に対して所定角度（例えば、１０°〜８０°の範囲の所定角度（望ましくは、２０°〜７０°の範囲の所定角度））で傾斜した平面である。
【００２３】
図４、図５のように、一対の側面部６０，７０の両上端部６０Ａ，７０Ａは、後方側となるにつれて高位置となるように上面部５６に沿って傾斜して配置され、図４のように、側面部６０は、自身の上端部６０Ａを含む上端側の一部が仮想平面Ｆの方向に沿って上面部５６の後端部５６Ａよりも後方側に延びる延出部６４を有している。図５のように、側面部７０は、自身の上端部７０Ａを含む上端側の一部が仮想平面Ｆの方向に沿って上面部５６の後端部５６Ａよりも後方側に延びる延出部７４を有している。上端部６０Ａ（一端側端部）のうち延出部６４よりも前側の部分、及び、上端部７０Ａ（一端側端部）のうち延出部７４よりも前側の部分は、上面部５６に沿って前面部５２側から背面部８０側に向かうにつれて傾斜して形成される部分である。
【００２４】
図６のように、背面部８０は、一対の側面部６０，７０の両方の延出部６４，７４に架け渡された形態で連結される持ち手部８２と、持ち手部８２の下方側において持ち手部８２と間隙を介して対向するように持ち手部８２から離間して配置される背面本体部８４と、を有している。図８のように、持ち手部８２は、上下方向の最大幅Ｌ１のほうが前後方向の最大幅Ｌ２よりも大きくなっている。また、持ち手部８２の上端部８２Ｂは、上面部５６の後端部５６Ａ（上端部）よりも上位置に配置され、持ち手部８２の下端部８２Ａは、上面部５６の後端部５６Ａ（上端部）よりも下位置に配置され、
【００２５】
図１、図３のように、筐体５０は、上面部５６の後端部５６Ａと、両方の延出部６４，７４と、持ち手部８２とを少なくとも含んだ形態で第１開口部９１が構成されている。更に、図４〜図６のように、持ち手部８２の下端部８２Ａと背面本体部８４の上端部８４Ａとを少なくとも含んだ形態で第２開口部９２が構成されている。第２開口部９２は、第１開口部９１よりも下方に配置されている。第２開口部９２の上端部は、持ち手部８２の下端部に相当し、上面部５６の後端部５６Ａ（上端部）よりも下位置に配置されている。第２開口部９２の下端部は、背面本体部８４の上端部８４Ａに相当し、上面部５６の前端部５６Ｂ（下端部）よりも下位置に配置されている。
【００２６】
図８のように、貫通孔部９４は、第１開口部９１から下方側に延びる孔部であり、第１開口部９１と第２開口部９２との間で内部空間が連続する孔部である。この貫通孔部９４は、左右方向に広い孔部であり、持ち手部８２を持つために手を挿入し得る孔部となっている。
【００２７】
表示部５は、後述する上面部５６から露出する表示装置であり、左右方向に長い構成をなし、上面（露出面）が上記仮想平面Ｆと略平行に配置されている。この表示部５は、例えば、液晶表示装置として構成され、様々な情報を表示し得る。表示部５は、左右方向に長い長手形状且つ矩形形状をなし、上面部５６の左右方向中央部付近に配置されている。上面部５６において、表示部５の左右方向一方側（左側）には、電源ボタン７Ａが配置され、表示部５の左右方向他方側（右側）には、流量調整ボタン７Ｂ，７Ｃが配置されている。
【００２８】
３．効果
酸素濃縮器１では、上面部５６の後端部（背面部８０側の端部）よりも背面部８０側のスペースを利用する形で背面部８０側に延びるように一対の側面部６０，７０の各一部（一対の延出部６４，７４）を配置し、これら一対の延出部６４，７４に対し、背面部８０の一部（持ち手部８２）を連結した構成をなしている。このような構成であれば、背面部８０の一部を把持させるような持ち手構造が可能となり、しかも、持ち手部８２と持ち手部８２の両側に連結される一対の延出部６４，７４とが軸線方向に嵩張りにくい構成となるため、装置全体の軸線方向の大型化を抑えることができる。つまり、軸線方向の一端側を上側とし、他端側を下側とするような使用態様において装置全体の上下方向の大型化を抑え得る構成となる。
【００２９】
具体的には、酸素濃縮器１は、前下がりで傾斜した所定の仮想平面Ｆ（左右方向と平行な平面であって且つ後方側となるにつれて高位置となる平面である所定の仮想平面）に沿うように上面部５６が設けられ、この仮想平面Ｆに沿うように一対の側面部６０，７０の両上端をそれぞれ含んだ構成で一対の延出部６４，７４が配置される。そして、これら一対の延出部６４，７４に架け渡された形態で持ち手部８２が連結されている。このような構成よれば、持ち手部８２と持ち手部８２の両側に連結される一対の延出部６４，７４とが上下に嵩張らない構成となり、装置全体の上下方向の大型化を抑えることができる。
【００３０】
しかも、持ち手部８２に隣接する貫通孔部９４は、第１開口部９１（筐体５０の上面部５６の後端部（背面部８０側の端部）と、両方の延出部６４，７４と、持ち手部８２とを少なくとも含んだ形態で形成された開口部）から下方に延びるように構成され、第１開口部９１とその下方の第２開口部９２（持ち手部８２の下端部（他端側端部）と背面本体部８４の上端部（一端側端部）とを少なくとも含んだ形態で形成されるとともに第１開口部９１よりも下方に配置される開口部）との間で内部空間が連続するように構成されている。このようにすれば、貫通孔部９４の内部空間を、持ち手部８２を持つために手を挿入するための空間として利用可能となる。しかも、貫通孔部９４が上下に延び、この貫通孔部９４の後方に持ち手部８２が隣接する形態となるため、持ち手部８２の上下方向の厚さを大きくしても、装置全体の上下方向の嵩張りが増大しにくくなる。ゆえに、装置全体の上下方向の嵩張りを抑えた形で持ち手部８２の強度を確保しやすくなる。
【００３１】
図９には、その効果を図面によって具体的に示している。図９（Ａ）は、図８の構成を簡略的に示す説明図であり、貫通孔部９４付近を断面にて示している。図９（Ｂ）は、酸素濃縮器１の外形と同一サイズの外形の酸素濃縮器とし、図９（Ａ）で示す貫通孔部９４に代えて上面部１５６の後端部から水平方向（前後方向）に延びる貫通孔部１９４Ａを形成したものである。なお、図９（Ｂ）の酸素濃縮器は、前面部１５２が図９（Ａ）で示す酸素濃縮器１の前面部５２と同一形状とする。また、上面部１５６も、図９（Ａ）で示す酸素濃縮器１の上面部１５６と同一形状とする。図９（Ｂ）で示す酸素濃縮器のように、貫通孔部１９４Ａを水平方向に形成しつつ酸素濃縮器１と同一サイズに抑えた場合、持ち手部１８２Ａの上下幅も前後幅も小さくなってしまい、持ち手部１８２Ａの強度不足が懸念される。しかも、貫通孔部１９４Ａの開口サイズが小さくなってしまう。しかし、図９（Ａ）のような第１実施形態の酸素濃縮器１とすれば、このような問題をいずれも解消し得る。
【００３２】
一方、図９（Ｃ）には、前面部１５２、上面部１５６を図９（Ｂ）と同一形状（即ち、図９（Ａ）と同一形状）としつつ、貫通孔部１９４Ｂを水平方向（前後方向）に形成し、更に、持ち手部１８２の上下幅を図９（Ａ）の酸素濃縮器１と同一の上下幅Ｌ１とするようにサイズを大きくした例を示している。このようにしてしまうと、酸素濃縮器全体の前後幅も上下幅も大きく拡大してしまい、大型化及び重量化が避けられない。しかも、図９（Ｃ）の構成は、貫通孔部１９４Ｂの開口の上下幅が小さい構成であるが、図９（Ａ）と同程度の開口サイズを確保しようとすると、更に上下方向に大型化してしまうことになる。本実施形態の酸素濃縮器１は、このような図９（Ｃ）の構成と比較すると、小型化、軽量化の面で大きなメリットがあることは明らかである。
【００３３】
上記酸素濃縮器１において、持ち手部８２は、上下方向（軸線方向）の最大幅のほうが前後方向（前面部５２から背面部８０へ向かう方向）の最大幅よりも大きくなっている。このようにすれば、持ち手部８２の上下方向の幅をより確保することができるため、使用者が持ち手部８２を持ちつつ酸素濃縮器を持ち上げたときに持ち手部８２の上方側への撓みが抑制されやすくなり、持ち手部８２の強度がより一層確保される。しかも、このように持ち手部８２の上下方向の最大幅を相対的に大きくしても、装置全体の上下方向の嵩張りは増大しにくい。
【００３４】
上記酸素濃縮器１において、上面部５６から露出した形態で表示部５が設けられている。このようにすれば、前側又は上方側から表示部５を視認しやすい酸素濃縮器を実現できる。しかも、前下がりで傾斜する上面部５６から露出するように表示部５を設けることができるため、大きな部品を配置しにくい傾斜部（上面部５６）近傍の下方側スペース（図９（Ａ）において符号ＡＲで示すスペース）を、表示部５に関連する部品（表示パネル、基板、配線など）の配置スペースとして効率的に有効利用することができる。
【００３５】
＜他の実施形態＞
本発明は、本明細書の実施形態の各態様や変形例に限られるものではなく、その趣旨を逸脱しない範囲において種々の構成で実現できる。例えば、発明の概要の欄に記載した各形態中の技術的特徴に対応する実施形態、実施例、変形例中の技術的特徴は、先述の課題の一部又は全部を解決するために、あるいは、先述の効果の一部又は全部を達成するために、適宜、差し替えや、組み合わせを行うことができる。その技術的特徴が本明細書中に必須なものとして説明されていなければ、適宜、削除できる。変更例としては、例えば、以下のようなものが該当する。
【００３６】
上述した実施形態では、持ち手部は、上下方向の最大幅のほうが前後方向の最大幅よりも大きくなっていたが、上下方向の最大幅と前後方向の最大幅とが同程度であってもよく、上下方向の最大幅のほうが前後方向の最大幅よりも小さくてもよい。
【符号の説明】
【００３７】
１…酸素濃縮器
５…表示部
５０…筐体
５１…外周面部
５２…前面部
５４…底面部
５６…上面部
６０，７０…側面部
６４，７４…延出部
８０…背面部
８２…持ち手部
８４…背面本体部
９１…第１開口部
９２…第２開口部
９４…貫通孔部
Ｆ…仮想平面
【図１】
2019198405.tif 000003
【図２】
2019198405.tif 000004
【図３】
2019198405.tif 000005
【図４】
2019198405.tif 000006
【図５】
2019198405.tif 000007
【図６】
2019198405.tif 000008
【図７】
2019198405.tif 000009
【図８】
2019198405.tif 000010
【図９】
2019198405.tif 000011